(57)【要約】 【課題】  衣類を掛けた複数のハンガーをまとめて密閉状のカバー内に装入した際にハンガーが嵩張って効果的な圧縮ができないという課題を解決する。【解決手段】  密閉カバー１は、衣類を掛けた複数のハンガーＨを覆うカバー本体２と、ハンガーＨを出し入れするための開閉部３と、該開閉部３をシールする密閉部４と、カバー本体２内の排気時に開く弁７と、複数のハンガーＨを掛けるハンガー受部６と、を備える構成とした。【効果】  カバー本体２の圧縮時に圧縮方向の中央部がＶ字状に撓むハンガー受部６を設けているので、ハンガーＨの肩部同士が重なって嵩張ることがなく、効率よく複数のハンガーＨに掛けられた衣類をまとめて圧縮し、かつ密閉しておける。【選択図】  図１
2006081604.tif 000002
【特許請求の範囲】
【請求項１】
衣類を装入し、カバー内の空気を排気して圧縮する密閉カバーであって、衣類を掛けた複数のハンガーを覆うカバー本体と、このカバー本体に設けられた開閉部と、この開閉部をシールする密閉部と、前記カバー本体に設けられ、該カバー本体内の排気時に開く弁と、カバー内に配された複数のハンガーを掛けるハンガー受部と、を備えたことを特徴とする密閉カバー。
【請求項２】
カバー本体から突出した状態で設けられ、該カバー本体を吊すための吊部を設けたことを特徴とする請求項１記載の密閉カバー。
【請求項３】
ハンガー受部を吊部と一体とし、該カバー本体から突出した部位をシールすることを特徴とする請求項２に記載の密閉カバー。
【請求項４】
ハンガー受部に位置決部を設けたことを特徴とする請求項１〜３のいずれかに記載の密閉カバー。
【請求項５】
弁をカバー本体の圧縮方向の片面に設けたことを特徴とする請求項１〜４のいずれかに記載の密閉カバー。
【請求項６】
カバー本体に折畳部を形成したことを特徴とする請求項１〜５のいずれかに記載の密閉カバー。
【発明の詳細な説明】
【技術分野】
【０００１】
本発明は、ハンガーに掛けた衣類を複数まとめて容積を圧縮しつつ覆うことができる衣類用の密閉カバーに関するものである。
【背景技術】
【０００２】
例えば下記の特許文献１には、ハンガーに掛けた衣類を、ハンガーごと装入し、内部を密閉するカバーに関する技術が開示されている。
【特許文献１】特開２００２−３０６３１０
【０００３】
また、例えば下記の特許文献２には、スタンドやクローゼット内のパイプに掛けた複数のハンガーの上部及び側部を、衣類ごとまとめて覆うカバーに関する技術が開示されている。
【特許文献２】特開平８−２５６８９７号
【発明の開示】
【発明が解決しようとする課題】
【０００４】
しかしながら、特許文献１のカバーは、衣類を掛けた複数のハンガーをカバー内に装入する構成となっていない。さらに、特許文献１のカバーは、密閉可能な構成であることからある程度の圧縮効果は期待できるが、弁のような部材を有していないのでほぼ真空になるまで内部の空気を排出して圧縮し、その状態を維持することが極めて困難である。
【０００５】
特許文献１は、スタンドやクローゼット内のパイプに、個々の衣類を覆った特許文献１のカバーを掛けたとしても、特許文献１のカバーを用いないで掛けた状態に対して、さほど大きく容積を圧縮させることができないという問題がある。
【０００６】
また、特許文献２のカバーは、下方が開口しており、そもそも圧縮して密閉する構成とはなっていない。従って、衣類をまとめて覆うことができるものの、その容積を圧縮してかつ衣類全体を覆っておくことができない。
【０００７】
さらに、特許文献２のカバーにおける下方の開口を閉じて特許文献１のカバーのように密閉可能にすれば、特許文献１における課題すなわち複数のハンガーを装入できない点が解消され、また、特許文献２における課題すなわち衣類をまとめて密閉して覆うことができない点が解消される。
【０００８】
しかし、そのようにした場合、圧縮時には複数のハンガーが同高さで接近するから、ハンガー間の余分な隙間は無くなって全体の容積が圧縮できるものの、ハンガー自体の厚み、特に肩部分の厚みが嵩張るので、圧縮効果が極めて低いという問題が生じる。
【０００９】
本発明が解決しようとする課題は、複数の衣類をまとめてカバーしつつ、効率的に圧縮するという点、特に衣類を掛けた複数のハンガーをまとめて密閉状のカバー内に装入した際にハンガーが嵩張って効果的な圧縮ができないことを解消する点である。
【課題を解決するための手段】
【００１０】
上記の課題を解決するために、本発明の密閉カバーは、衣類を掛けた複数のハンガーを装入して覆うカバー本体と、ハンガーを出し入れするための開閉部と、開閉部をシールしてカバー本体内を密閉する密閉部と、カバー本体内を排気するための弁と、複数のハンガーを掛けるハンガー受部と、を備える構成とした。
【発明の効果】
【００１１】
本発明に係る密閉カバーは、衣類を掛けた複数のハンガーを装入した状態で、埃などが付着しないように覆い、カバー本体を密閉したうえで排気できるので、複数の衣類をハンガーと共に嵩張らないように圧縮することができる。このとき、ハンガー受部を設けているので、ハンガーの肩部同士が重なって嵩張ることがなく、従って非常に効率よく複数のハンガーに掛けられた衣類をまとめて圧縮できる。
【００１２】
また、本発明に係る密閉カバーは、弁を有しているので、例えば掃除機などの吸気装置を用いて強制的にカバー本体内の空気を排出し、圧縮した状態を維持することができる。また、密閉部を設けているので、開閉部から空気が流入することがなく効率よく圧縮することができる。さらに、弁及び密閉部により、排気後、カバー本体内に空気が再流入することを防止することができる。
【発明を実施するための最良の形態】
【００１３】
本発明の密閉カバーは、図１〜図８に示す構造となっており、以下の形態にて実施可能である。
図１は、本発明の密閉カバーの一例を示す。図２は、図１における開閉部及び密閉部を示す。図３は、図１におけるハンガー受部を示す。図４は、図１における弁を示す。図５は、ハンガー受部の他例を示す。図６は、ハンガー受部の他例を示す。図７は、弁の配置位置の他例を示す。図８は、カバー本体の他例を示す。なお、図１〜図８には衣類の図示を省略している。
【００１４】
図１〜図３には、本発明に係る密閉カバーの基本構成を示している。以下、同じ部材には同じ参照番号を付して重複する説明は省略することとする。１は、複数のハンガーＨを装入して圧縮して密閉する密閉カバーである。
【００１５】
２は、複数のハンガーＨを装入し、覆い、かつ圧縮するためのカバー本体である。このカバー本体２は、柔軟性に富むと共に通気性を有しない素材を用いる。３は、ハンガーＨを出し入れするための開閉部である。この開閉部３は、例えば本例では、カバー本体２における後述する圧縮方向と直交する方向の片側に設けられている。
【００１６】
カバー本体２における圧縮方向と直交する方向に開閉部３を設ける理由は、圧縮方向に開閉部３を設けると、装入したハンガーＨに前後（出し入れの手前と奥）が生じてしまい、開閉部３から奥になったハンガーＨの出し入れがしにくいからである。よって、カバー本体２における圧縮方向と直交する方向に開閉部３を設けることで、ハンガーＨの出し入れが容易となる。
【００１７】
４は、開閉部３に設けられ、閉じた状態の開閉部３から空気が流通しないようにシールする密閉部である。本例では、図２に示すように、密閉部４は、開閉部３における一方のカバー本体２の開閉片３Ａの表面に、断面が半円を越えた円弧とされた凸部４Ａが、他方のカバー本体２の開閉片３Ｂの裏面に、断面が凸部４Ａと嵌合し得る凹部４Ｂが、それぞれ形成されて構成されている。
【００１８】
すなわち、密閉部４の凸部４Ａと凹部４Ｂとが嵌合することで、開閉部３からカバー本体２の内外部の空気が流通せず、密閉状態となるのである。もちろん、開閉部３及び密閉部４は、カバー本体２における圧縮方向と直交する方向の両側に設けてもよいが、コスト的に不利となる。
【００１９】
本例の密閉カバー１は、カバー本体２における圧縮方向と直交する方向の片側に開閉部３と密閉部４とを設けているが、必要に応じて、開閉部３及び密閉部４が手前となるようにカバー本体２を反転させればよい。
【００２０】
５は、カバー本体２の外面の、例えば上部に設けられ、カバー本体２を含む全体を例えばスタンドやクローゼットのパイプに吊すための吊部である。この吊部５は、密閉カバー１の基本構成としては必須ではないが、最も可能性の高い使用形態を考慮してここで説明する。
【００２１】
吊部５は、例えば、カバー本体２の圧縮方向の両端部に２箇所設けられる。吊部５は、カバー本体２の内部に装入されるハンガーＨの本数と、ハンガーＨに掛けられる衣類の重さを考慮して、同方向に平行状に複数設けてもよい。
【００２２】
吊部５は、カバー本体２の気密性を保持するために、特に本例の場合はカバー本体２の外面に取り付ける。そして、この吊部５に力が集中してカバー本体２が破れてしまう可能性がある場合は、力の分散が図られる部位に吊部５を複数設ければよい。
【００２３】
この吊部５を設けることで、吊部５を介して、密閉カバー１全体を例えばクローゼット内のパイプや、スタンドに掛けることができるようになる。
【００２４】
６は、図３に示すように、カバー本体２内の圧縮方向の対向する内壁面間に亘って設けられ、（衣類を掛けた）ハンガーＨをカバー本体２内において掛けておくための紐状のハンガー受部である。ハンガー受部６は、図３の破線で示す通常状態（圧縮を解除した状態）では、圧縮方向に張った状態となるが、図３の二点鎖線で示す圧縮状態では、圧縮方向中央部に撓んでＶ字状となる。
【００２５】
すなわち、このようにハンガー受部６が圧縮時に、圧縮方向にＶ字状に撓むことで、ハンガー受部６の撓んだ際の谷部を中心にハンガーＨが高さを異ならせて並ぶことになる。そして、ハンガーＨは、その最も嵩張る肩部の高さが相互にずれることで、圧縮方向の幅をより一層小さくすることができるのである。
【００２６】
７は、本例では例えば、図１に示すように、圧縮方向と直交する面、すなわち開閉部３及び密閉部４と同側に設けた弁である。弁７は、図４に示すように、カバー本体２に形成された孔２ａを介して外面側に設けられた取付部７Ａと、内面側に設けられた取付部７Ｂとを有する。
【００２７】
これら取付部７Ａ，７Ｂは、カバー本体２の外側と内側においてその外周縁部が孔２ａの周縁部より広く形成されている。また、取付部７Ａ，７Ｂは、前記外周縁部を除いては筒状とされ、一方が他方に内嵌される。つまり、取付部７Ａ，７Ｂは、内嵌部位が孔２ａに挿入され、外周縁部同士でもって孔２ａの外周縁部周辺を挟み込むのである。
【００２８】
そして、カバー本体２を挟み込んだ取付部７Ａ，７Ｂによって形成された筒状には、弁体７Ｃが挿嵌される。弁体７Ｃは、取付部７Ａ，７Ｂで形成される筒状より長い筒状とされている。
【００２９】
そして、弁体７Ｃは、取付部７Ａのカバー本体２の外側に位置する端部と、取付部７Ｂのカバー本体２の内側に位置する端部と、が円周方向に広がっており、取付部７Ａ，７Ｂにおける筒状から抜けないようになっている。
【００３０】
弁体７Ｃの筒状において、取付部７Ａ側の端部には、筒状の内外部に連通する吸排気孔７Ｃａが形成されている。この吸排気孔７Ｃａは、図４（ｂ）に示すようにカバー本体２内から排気する際には、弁体７Ｃが移動して取付部７Ａより外部に露出する。排気が完了し、カバー本体２が圧縮状態になると、弁体７Ｃは、背圧により図４（ｂ）の状態から図４（ｃ）の状態に移動し、このとき吸排気孔７Ｃａは取付部７Ａ，７Ｂの筒状内に隠れて閉じることになる。
【００３１】
以上が本発明の密閉カバー１の基本的な構成である。上記した基本的な構成において、図５に示すように、ハンガー受部６に、位置決部８を設けてもよい。位置決部８は、例えばリング状とされ、紐状のハンガー受部６の任意の位置に固定して設ける。位置決部８は、例えばハンガー受部６における圧縮方向の中央位置に１つと、その中央の位置決部８を挟んで両側に同数設けることが望ましい。
【００３２】
上記の理由は、圧縮時に、図５（ｂ）に示すようにハンガー受部６が偏りのないＶ字状に撓んだ状態にできてハンガーＨの肩部同士が嵩張ることを回避できるからである。また、他の理由としては、図５（ａ）に示すように圧縮を解除したときに、ハンガーＨが圧縮方向の中央部位に寄ってしまったままの状態を回避できるからである。
【００３３】
すなわち、位置決部８の上記作用により、圧縮はより一層効率よくなり、かつ圧縮を解除したときには、ハンガーＨが取り出しやすくなるのである。
【００３４】
さらに、上記した構成において、図６に示すように、密閉カバー１に吊部５を有しており、かつ密閉カバー１をクローゼット内のパイプやスタンドに吊すような使用形態を考慮した場合は、ハンガー受部６を吊部５と一体とし、カバー本体２から突出した部位をシールする構成としてもよい。
【００３５】
上記した構成では、ハンガー受部６はカバー本体２の内壁面に設けられていた。一方、吊部５は、カバー本体２の外面に設けられていた。従って、ハンガーＨの本数や衣類の重さなどの荷重の応力はハンガー受部６とカバー本体２の接合部位に集中し、また、カバー本体２全体の荷重の応力は吊部５とカバー本体２の接合部位に集中し、この結果それぞれの部位でカバー本体２が破損する可能性がある。
【００３６】
そこで、ハンガー受部６を吊部５と一体とし、カバー本体２から突出した吊部５の周辺部位をシールすることで、密閉性が保たれ、ハンガーＨや衣類の荷重、及びカバー本体２全体の荷重が吊部５にかかり、スタンドやクローゼット内のパイプにて支持されることとなるから、カバー本体２が荷重の影響で破損する可能性はなくなる。
【００３７】
よって、カバー本体２として丈夫な素材を選択する必要がなくなり、また、ハンガー受部６及び吊部５とカバー本体２との接続部位の補強などを考慮する必要がなくなるから、コストダウンに寄与でき、しかも大きな荷重に対応させることができる。
【００３８】
さらに、上記した構成において、図７に示すように  弁７をカバー本体２の圧縮方向の片面に設けてもよい。上記した構成では、弁７は開閉部３及び密閉部４を設けた位置と同面に設けていた。
【００３９】
上記した構成では、例えば掃除機などの吸気装置を用いたカバー本体２内の排気は容易であるものの、カバー本体２の圧縮が意図した通りに行えない可能性がある。つまり（意図した）圧縮方向と直交する方向に圧縮が進行する可能性がある。
【００４０】
そこで、弁７を、カバー本体２の圧縮方向の片面に設けることで、意図した圧縮が促され、効率のよい圧縮効果を得ることができる。また、そのように意図した圧縮状態となることで、衣類にしわを付けたりすることが防止できるというメリットもある。
【００４１】
さらに、上記した構成において、図８に示すように、カバー本体２に折畳部９を形成してもよい。上記した構成では、圧縮時には、カバー本体２の素材の撓みに任せて圧縮される。この場合、ハンガーＨの本数が多く、衣類の厚みが大きいならば、圧縮率も低くなるので、圧縮時のカバー本体２の撓みが少なく、従ってカバー本体２の撓んだ部分によって衣類にしわを付ける可能性は低い。
【００４２】
ハンガーＨの本数が少なく、衣類の厚みが小さいならば、圧縮率は大きくなり、そのときには、カバー本体２の撓みが多くなる。このときには、カバー本体２の撓んだ部分が意図しない方向に撓んで衣類にしわをつける可能性がある。
【００４３】
そこで、カバー本体２に折畳部９を形成して、圧縮時には常に意図した状態にカバー本体２が折り畳まれるようにすれば衣類にしわをつける可能性が低減する。折畳部９は、少なくともカバー本体２の上部において、該カバー本体２の内部へと圧縮方向に折り畳まれるように形成しておく。
【００４４】
すなわち、圧縮時にはハンガー受部６がＶ字状に撓むが、このＶ字状の谷部分に、同じくカバー本体２の折畳部９の谷状に折り畳んだ部分が位置することになる。従って、圧縮時にカバー本体２が意図しない方向に撓んで、ハンガーＨに掛けられた衣類にしわを付けることがない。
【００４５】
なお、折畳部９は、特にカバー本体２における圧縮方向の中央部の全面に形成しておいても構わないが、カバー本体２の開閉部３及び密閉部４を設けた面、及びこの面と対向する面に形成する場合は、山状に折り畳まれるようにすることが望ましい。
【００４６】
つまり、上記したように圧縮時にはハンガーＨが圧縮方向中央に集まるが、このときに谷状に折り畳まれるのは、カバー本体２における上部だけが望ましいのである。この理由は、カバー本体２における上部を除く部位は、谷状に折り畳まれると、折り畳まれたカバー本体２が該カバー本体２の内部において衣類にしわを付ける可能性があるからである。
【実施例】
【００４７】
以下、本発明に係る密閉カバーの実施例を説明する。なお、以下では、重複する説明は省略し、構成が異なることに基づいた作用効果の相違のみを説明する。
（第１実施例）
第１実施例は、上記した図１〜図４を参照して説明した構成（ただし吊部５を省略）についてである。第１実施例によれば、カバー本体２は、内部が確認可能な透明なビニール素材を採用した。開閉部３及び密閉部４は図２に示す構成で、図１及び図３に示す位置に設けた。ハンガー受部６は、図１及び図３に示すように、カバー本体２の内部における圧縮方向の両壁面間に設けた。
【００４８】
密閉部４の密閉を解除すると共に、開閉部３を開状態として、各種衣類を掛けたハンガーＨを７本ハンガー受部６に掛けた。その後、開閉部３を閉状態とすると共に、密閉部４によりカバー本体２内を密閉した。そして、密閉カバー１を使用者が手で吊すなどして、作業しようとする部屋の床面に対してハンガー受部６を平行状にした状態で、弁７に掃除機のノズルを当てて、カバー本体２内の空気を排気し、圧縮を行った。
【００４９】
圧縮を開始すると、若干圧縮方向と直交する方向にカバー本体２が圧縮される傾向があったが、ハンガーＨの重みでハンガー受部６が撓むので、概ね意図した通りに圧縮ができた。圧縮状態におけるハンガーＨは、互いの肩部の高さが異なった状態で配列された。
【００５０】
この結果から、ハンガーＨを直線状に並べたときに較べて圧縮方向の嵩張りを減少させることができた。さらに、その後の密閉性は良好で、カバー本体２内外の空気の流通は認められなかった。
【００５１】
以上のことから、第１実施例では、衣類を掛けた複数のハンガーＨをまとめてカバー本体２によって覆うことができ、また、その際に圧縮して容積を減少させることができ、さらに圧縮する際にハンガーＨの肩部が嵩張ることがなく効果的に圧縮することができた。  
【００５２】
上記した第１実施例の構成において省略した吊部５を図１及び図３に示すように、カバー本体２の上面における圧縮方向の両端部に設けることで、この吊部５を介して、衣類を掛けた複数のハンガーＨを装入し、圧縮した状態のカバー本体２を例えばクローゼット内のパイプや、スタンドに掛けることができ、作業が容易であった。
【００５３】
（第２実施例）
第２実施例は、第１実施例の吊部５を有した構成において、図６に示したように吊部５とハンガー受部６とを一体的にした構成についてである。効果を確認するために、第１実施例構成と第３実施例構成とにおいて、ハンガー受部６に比較的重量のあるコートを掛けたハンガーＨを１５本を掛けて、圧縮と圧縮解除を繰り返した。
【００５４】
その結果、第１実施例の吊部５を有しているがハンガー受部６と一体としていないときの構成では、実験自体には耐えたが、カバー本体２における吊部５との接合箇所周辺、及びハンガー受部６との接合箇所周辺が若干弛んでいた。一方、第２実施例構成では、第１実施例ほどの目立った変化はなかった。よって、第２実施例構成は、上記した第１実施例で得られる作用効果に加えて、さらに重い衣類を掛けたハンガーＨが非常に多い場合であっても良好に使用可能である。
【００５５】
（第３実施例）
第３実施例は、第２実施例の構成に図５に示した位置決部８を設けた構成についてである。位置決部８を設けることにより、第３実施例の構成は、第１及び第２実施例で得られる作用効果に加えて、圧縮時にはハンガーＨが偏ることがないと共に、ハンガーＨの肩部の高さを確実に異ならせることができた。そのうえ、第３実施例の構成は、圧縮を解除して元の状態にしたときには、ハンガーＨ同士の間隔が一定となり、衣類を取り出しやすかった。
【００５６】
（第４実施例）
第４実施例は、第３実施例の構成において、図７に示したようにカバー本体２における圧縮方向の片面に弁７を設けた構成についてである。第４実施例の構成は、第１〜第３実施例の構成による作用効果を得ることができることに加えて、弁７をカバー本体２の圧縮方向の片面に設けることで、第１実施例に較べて短時間で意図する圧縮方向に圧縮することができ、さらには、撓んだカバー本体２が衣類にしわを付けることも防止された。
【００５７】
（第５実施例）
第５実施例は、第４実施例の構成において、図８に示したようにカバー本体２の圧縮方向の中央部に折畳部９を形成した構成についてである。第１〜第４実施例の構成は、いずれも圧縮は、カバー本体２内の強制的な空気の排気によって撓むものである。従って第１〜第４実施例の構成は、カバー本体２の撓み方によっては、圧縮方向中央部において撓んだカバー本体２によって衣類にしわを付ける現象が低頻度ながら発生していた。
【００５８】
第５実施例の構成は、圧縮方向中央部におけるカバー本体２の撓みが折畳部９によって衣類を避けるように折り畳まれるから、衣類にしわをつけることが第１〜第４実施例のときよりも低減できた。また、第５実施例の構成においても、第１〜第４実施例の構成による作用効果を得ることができた。
【産業上の利用可能性】
【００５９】
本発明に係る密閉カバー１は、上記実施例に限らず、例えば、基本構成に図５〜図８に示した構成を選択的に１又は２以上付加してもよく、その場合は各々の構成による作用効果を得ることができる。
【００６０】
また、本発明に係る密閉カバー１は、密閉が可能なことから、防虫効果を期待した衣類の収納具として採用してもよく、その場合には、カバー本体２内に芳香剤や防虫剤を装入して使用すればよい。
【図面の簡単な説明】
【００６１】
【図１】本発明の密閉カバーにおける基本構成を示す斜視図である。
【図２】本発明の密閉カバーにおける開閉部及び密閉部を示し、（ａ）は図１のＡ矢視図、（ｂ）は（ａ）のＢ−Ｂ線断面図である。
【図３】本発明の密閉カバーにおけるハンガー受部を中心とした全体の動作状況を示す図である。
【図４】本発明の密閉カバーにおける弁を示し、（ａ）は斜視図、（ｂ）は排気時の断面図、（ｃ）は排気完了時の断面図である。
【図５】本発明の密閉カバーにおけるハンガー受部に位置決部を設けた構成を示し、（ａ）は圧縮されていない状態を正面方向から見た図、（ｂ）は圧縮状態を正面方向から見た図である。
【図６】本発明の密閉カバーにおける吊部とハンガー受部を一体的にした構成を示す図である。
【図７】本発明の密閉カバーにおける弁を設ける位置を異ならせた構成を示す図である。
【図８】本発明の密閉カバーにおける折畳部を設けた構成を示し、（ａ）は圧縮されていない状態の斜視図、（ｂ）は圧縮状態を正面方向から見た図である。
【符号の説明】
【００６２】
１  密閉カバー
２  カバー本体
３  開閉部
４  密閉部
５  吊部
６  ハンガー受部
７  弁
８  位置決部
９  折畳部
Ｈ  ハンガー
【図１】
2006081604.tif 000003
【図２】
2006081604.tif 000004
【図３】
2006081604.tif 000005
【図４】
2006081604.tif 000006
【図５】
2006081604.tif 000007
【図６】
2006081604.tif 000008
【図７】
2006081604.tif 000009
【図８】
2006081604.tif 000010